(57)【特許請求の範囲】
【請求項１】
丸薬の周期的摂取のための自己発動順序指示補充型ディスペンサー（２５）において、
（ａ）平台（５３）と、平台（５３）の中心に垂直な回転軸と、平台（５３）の周囲における丸薬出口孔（５７）と、周囲において基部（２７に装着され、丸薬出口孔（５７）の上の空間にまで伸長するばね指（５８）と、端部において対向する架台凹部（６８）を有する平台（５３）に硬直に取り付けた２つの垂直な架台支柱（６７）であり、架台凹部（６８）は回転軸に垂直な軸を規定する、２つの垂直な架台支柱（６７）と、丸薬出口孔（５７）と回転軸に垂直な軸の間の、平台（５３）に装着した２つの垂直な平行ビームばね（７３）とを有し、平行ビームばね（７３）と架台支柱（６７）は、回転軸を通過する共通二等分線をまたぐ、本質的に円形の基部（２７）と、
（ｂ）丸薬出口孔（５７）と回転軸の間の距離に等しい半径を有する円の周りに均等に配列された丸薬セル（３１）と、底部開口を除いて、閉鎖された丸薬セル（３１）を取り囲む頂面（３４）によって連結された内壁（３２）及び外壁（３３）と、摂生の最後の逐次丸薬のために確保された最後の丸薬セル（３５）と、丸薬出口孔（５７）の上に位置した時、最後の丸薬を掛留させるために役立つばね指（５８）の挿入のための最後の丸薬セル（３５）へ開く最後の丸薬孔と、丸薬容器（２９）が進められる時、最後の丸薬を発現することなく、丸薬セル（３１）の経路からばね指（５８）をカム作用させる手段と、丸薬セル（３１）に数と間隔が対応する外壁における垂直通路（３８）と、平行ビームばね（７３）と架台支柱（６７）の限界を画するような大きさの丸薬容器（２９）の中心における円形孔（４０）と、円形孔（４０）と内壁（３２）の底部の間の基部フランジ（４１）と、丸薬容器（２９）が最後の丸薬セル（３５）を丸薬出口孔（５７）の上において回転軸に中心を据えた基部（２７）に組み立てられた時、丸薬容器（２９）を回転可能に保持するための手段とを有し、基部（２７）が、丸薬セル（３１）に底面を形成し、これにより、各丸薬セル（３１）が丸薬出口孔（５７）の上を進められ、内在する丸薬を落下させるまで、丸薬を包含し、更に、時計回りのみの動作を規制するために丸薬容器（２９）と基部（２７）の間に介在されたつめ車手段（４５）と、計数と間隔において丸薬セル（３１）に対応する垂直鋸歯のセット（４８）とを有し、鋸歯（４８）は、丸薬容器（２９）を一指数位置だけ回転させるために十分なピッチと行程を有するすべり傾斜面セット（４８）の半分を具備し、鋸歯（４８）とつめ車手段（４５）は、各指数位置が丸薬出口孔（５７）と丸薬セル（３１）の位置合わせに対応する如く、丸薬セル（３１）に対して方向付けられ、各鋸歯（４８）は、内壁（３２）と鋭角を形成する上向き傾斜路面（５０）と、内壁と斜角を形成する下向き重なり面（５１）を有する、丸薬容器（２９）と、
（ｃ）数と間隔において丸薬セルに対応する周期数のインジケータ（８６）を刻印されたリング頂面（８５）と、リング頂面（８５）の内側リムに装着されたリング壁（８９）と、丸いリングつめ（９２）において終端するリング壁（８９）に装着した複数の接線ばね（９１）とを有し、リングつめ（９２）は、接線ばね（９１）によって組立てられた時、丸薬容器（２９）の外壁（３３）に対して押圧され、リングつめ（９２）は、垂直通路（３８）のセットに同時に着座する如く均等に離間され、各着座は、丸薬容器（２９）の輸送中、垂直通路におけるリングつめ（９２）の連動により維持される丸薬セル（３１）と周期数のインジケータ（８６）の一意的な位置合わせを提供し、位置合わせは、丸薬容器（２９）の周りに周期数指示リング（２８）を回転させることにより可変であり、回転は、リング壁と外壁の間の介在する空間へつめを外側にたわませ、更に、丸薬容器（２９）と基部の間の組立品にいて周期数インジケータ（８６）を回転可能に保持するための第２手段を有する、丸薬容器（２９）を囲繞するための周期数指示リング（２８）と、
（ｄ）スロット付き拡張部分（９５）を備えたプランジャー基部（９３）と、旋回する自由度の準備のある架台凹部内に着座するような寸法のプランジャー基部（９３）に装着したピボット（９６）と、ピボット（９６）とスロット付き拡張部分（９５）の間のプランジャー基部（９３）に装着した延展する楔（９９）とを有し、スロット付き拡張部分（９５）、延展する楔（９９）及びピボット（９６）は、それぞれ、鋸歯（４８）、平行ビームばね（７３）及び架台凹部（６８）と一致するように直線状に配置されており、延展する楔（９９）が、下方旋回力がプランジャーに加えられ、これにより、往復力に対する潜在力を生成する時、平行なビームばねを広げさせるように作用し、更に、すべり傾斜面セットの第２の半分を形成するスロット付き拡張部分の端部に柔軟に装着したすべりシュー（１０６）を有し、すべりシュー（１０６）が、鋸歯の間の挿入のための傾斜拡張部分（１０８）を有し、これにより、旋回行程の終結において進行する鋸歯の下に部分的な重なりを確立し、傾斜拡張部分（１０８）は、動作する鋸歯の前縁の上の旋回行程を開始させ、傾斜拡張部分（１０８）は、傾斜路面に相補的な勾配を有する下向きすべり面（１０９）を有し、傾斜路面に対して下方に移動するすべり面は、相互に相対して移動する間、接触面を連動させ、こうして、丸薬容器にトルクを伝え、基部とプランジャーに関する丸薬容器の回転移動を生じさせ、傾斜拡張部分（１０８）は、さらに、重なり面に相補的な垂直に対する勾配を有する上向き迂回面（１１０）を有し、すべりシューとスロット付き拡張部分の複合構造は、迂回面が、平行なビームばねの往復力によって駆動された垂直角のすべり相互作用によって重なり面に対して上方に移動する時、内側にたわませられ、これにより、傾斜拡張部分を進行する鋸歯の厚さの上を遷移させ、次の割出しサイクルのための位置を回復し、更に、旋回行程の上方及び下方移動を限定し、これにより、割出し移動の規制を設ける手段と、プランジャーが旋回される時を除いて、丸薬容器の回転を防止する手段と、周期数の動作インジケータに対する基準点を設けるプランジャーにおける指示機構とを有する、プランジャー（３０）と、
（ｅ）基部（２７）、丸薬容器（２９）、周期数指示リング（２８）及びプランジャー（３０）の部分組立品を含むような寸法のカップ付き底部及び頂部要素（１１８）を有するヒンジ付きシェル（２６）であり、部分組立品は、丸薬の摂生を装填された時、補充ユニットを具備し、底部要素（１１７）は、丸薬出口孔（５７）と一致するように位置付けられ、これにより、丸薬のための導管を設ける丸薬放出孔（１２３）を有するヒンジ付きシェル（２６）と、
丸薬放出孔（１２３）と丸薬出口孔（５７）の位置合わせのためにヒンジ付きシェル（２６）に補充ユニットを方向付けるための手段と、
補充ユニットをヒンジ付きシェル（２６）に除去可能に連結する手段（２４）とを具備することを特徴とする自己発動順序指示補充型ディスペンサー。
【発明の詳細な説明】
【０００１】
【産業上の利用分野】
医薬と他の調合薬は、しばしば、定時療法のために処方される。錠剤又は丸薬の如く、固体服用形態の場合に、薬服用量は、あらかじめ測定された単位で為され、療法は、時間の経過による多重単位の投薬による。しばしば、この投薬は、臨床環境の規律とは別に、家庭において患者によって行われる。この状況において、患者が療法の摂生(regimen)に従うのに役立つ包装が、特に貴重である。
【０００２】
【従来技術及びその課題】
頻繁に、固体服用療法の経過は、周期的な習慣を必要とする。産児制限、血圧調節、抗生投薬、糖尿病状態の扶養、及び多様な他の病気に対して使用される錠剤又は丸薬は、拡張期間にわたって規則的な間隔において取られる。時々、錠剤又は丸薬は、開始時の記念日において補充される周期に編成される。産児制限丸薬の如く幾つかの調合剤の場合に、薬服用量は、時々、排卵の如く時間位相身体周期によって必要とされる如く、最小量の薬剤を投与するために、離散的な一連の丸薬で変化される。他の状況において、気休め薬が、周期を満たすために、適切な間隔において摂生へ付加される。そのようなすべての場合に、包装が、特定の順序において丸薬を維持することは重要である。
【０００３】
固形調合薬を分配するための順序維持錠剤ディスペンサー及び装置が、公知である。時折、これらは、アルミニウムホイルの如くもろい材料でふたを施された丸薬を含む小袋へ形成された、ポリ塩化ビニルの如くフィルムを含む押出しブリスター包装の形態である。順序は、左右規約により周期を表現する行における配列によって指示されるか、あるいはそうでなければ、規定巡回方向を有する円又は長円形の如くループにおいて指示される。時々、丸薬は、成型プラスチックから形成した剛性容器の個別セルにおいて包含される。そのような容器において、セルは、典型的に、選択丸薬が出口機構を通って排出される一定分配位置に割出される円形配列におかれる。周期又はサイクルは、通常、製造業者によってディスペンサーへあらかじめ付与されるか、あるいはそうでなければ、患者によって付与される標識によって指示される。標識があらかじめ適用される時、時々、調整機構を設けられる。患者が付与又は調整した標識は、提供されたディスペンサーの種類によって一定にされた投薬の期間に対して可変な開始を許容する。産児制限丸薬の場合に、周期は、典型的に、２１又は２８日であり、標識は、曜日を示し、一定開始日は、通常、日曜日である。
【０００４】
分配システムにおいて投与された薬剤に関する患者の応諾の見地が、研究された。患者の行動の規則性は、療法にとって極めて重要である。例えば、産児制限丸薬が、指示された時に、毎日取られないならば、妊娠の危険があり、療法の破局的失敗を構成する。後の時点において失った丸薬を償うことは、常に有効であるわけではない。今日のヘルスケアは、ますます家庭での自己管理になりつつある。このため、従順な行動において患者に役立つ包装が、効力のためにますます重要になっている。
【０００５】
所望の行動にかなり影響する２つの因子は、患者によって為される選択の限定と、包装システムを使用に便利にすることである。第１因子に関して、典型的な丸薬分配包装を使用する患者は、標識又は慣行により、シーケンスに案内されるが、正しい丸薬の選択をすることをなお必要とされる。この選択プロセスは、単一ポート分配システムにおいて簡略化され、この場合、丸薬配列は、機構を一位置前進させる等、選択プロセスを単純な割出し作用に縮減することにより、単一出口ポートへ回転又は移動される。しかし、単一ポート分配システムにおいてさえ、誤りは、前進のしすぎにより為される。事実、今日の技術の包装内の任意の単一丸薬が、患者によって随意に取られる。
【０００６】
便利さはまた、応諾と関連される。応諾への動機は、通常、薬剤療法によって処置又は予防された病気又は健康状態によって与えられる。しかし、応諾は、時々、投薬が長期間にわたる時、そのような刺激状況の下でさえも失効することが非常に公知である。産児制限の場合に、投薬期間は、何年も持続し、多分、旺盛な成人期の全体にわたる。このため、応諾へのかぎは、記憶補助によることなしに、自動的になる習慣的行動を確立することである。動機はすでに与えられたために、阻害要因の除去が強化される。一形式の阻害要因は、調剤包装の多段階動作手順である。初期設定の後、典型的なシーケンス維持包装は、発動作用のために２つの動作段階を必要とする。第１は、標識によって助成された正しい丸薬を選択することであり、そして第２は、選択丸薬を発現することである。改良は、すべて単一段階において、非補助で選択し表現することである。
【０００７】
このため、本発明の目的は、シーケンスの正しい丸薬のみが、任意の調剤場面において分配される如く、丸薬の取り出しを規制することである。さらに、本発明は、便利な１段階の自己発動の動作モードを提供する。本発明の他の特徴及び目的は、投薬期間中の丸薬摂取の維持のためのシェルの形式における保護包絡の準備と、補給ユニットの準備を通して丸薬摂取を補充し、これにより、耐久性包絡を再使用し、貴重な材料のむだを防止する能力である。また、調整可能な標識を通した摂生のための周期性の開始インジケータをあつらえる能力も含まれる。標識が、選択を補助するために、本発明でもはや必要とされない時、それは、分配事象がすでに発生したかを、患者に信頼性良く思い起こさせるために役立つ。本発明のさらに他の目的は、設計を通して、均質材料とプロセスで作製され、相互連結嵌合せにより容易に組み立てられる部品を提供することにより、製造可能性を高めることである。
【０００８】
【課題を解決するための手段】
本発明は、上記の必要性を満たす丸薬(pill)の摂取のための自己発動(self-actuating)ディスペンサーに向けられる。本発明の特徴を有する自己発動ディスペンサーは、基部、丸薬容器、及び基部に関して丸薬容器を循環的に割出すための手段を具備する。基部は、丸薬出口孔を有する。個別区画室又はセルにおいて丸薬を収納する丸薬容器は、任意の丸薬セルが丸薬出口孔と整列される如く、基部に可動に取り付けられる。丸薬セルは、取り付けられた時、基部によって覆われる装填及び分配用の開底部を備える。循環的割出し手段は、各丸薬セルが、丸薬出口孔と整列され、これにより、一連の分配サイクルにおいて内在する丸薬を単独に落下させる。
【０００９】
発明の好ましい実施態様において、循環的割出し手段は、垂直平面において回転移動を生ずるように、一平面において作用する力によって圧縮された傾斜面の移動を具備する。そのような力は、丸薬容器の周りに円形に配列された一連の鋸歯状傾斜路に対してすべりシューを有するプランジャーを旋回させることにより加えられ、各旋回行程に関する丸薬セル間隔によって出口孔に関する丸薬容器の並進を設けるようにして位置付けられる。力源は、一方の手の親指と指の締め合わせによって設けられる。旋回機構は、プランジャーに対する圧力の除去により行程を往復動させるバネを備える。鋸歯とすべりシューの幾何形状は、次の前進鋸歯における新取得が全サイクルを完了するために獲得される如く、これらの機構を迂回させる。
【００１０】
発明の別の好ましい実施態様において、自己発動ディスペンサーは、丸薬を通過させる孔を有する保護シェルを備える。保護シェルはまた、自己発動ディスペンサーへの除去可能な連結を行う手段を有し、これにより、シェルの再使用を可能にする。さらに別の好ましい実施態様において、自己発動ディスペンサーは、周期性インジケータの変更可能なセットを備える。
【００１１】
本発明のこれらと他の特徴、見地、及び利点は、次の説明、添付のクレイム、及び添付の図面に関してより良く理解されるであろう。
【００１２】
【実施例】
添付の図面において例示された好ましい実施態様は、図面と与えられた番号を参照して以下に詳細に記載される。
【００１３】
図３は、丸薬を分配する準備のできた開いた、図１において示されたディスペンサー２５の分解図である。図３は、システムの主要構成部分を図示し、概要説明のために有益である。図３を参照すると、ヒンジ付きシェル２６が、分解図において示され、この場合、底及び上部分が、ヒンジにおいて分離される。基部２７は、プラグコネクタ２４により、ヒンジ付きシェル２６の底部へロックされる。周期数表示リング２８は、可変方位が維持される丸薬容器２９を取り巻く。丸薬容器２９は、周期数表示リング２８を捕捉する基部に回転可能に連結される。プランジャー３０は、基部２７に旋回可能に連結され、丸薬容器を整合位置へ回転させ、含まれた丸薬が、丸薬容器２９、基部２７とヒンジ付きシェル２６における符合した開口を通って自由に落下するようにして、丸薬容器２９と相互作用する。
【００１４】
丸薬容器構成部分：図１０と図１１は、丸薬容器２９の好ましい実施態様を例示し、いろいろな機能のほかに、丸薬の摂取を収容する機能を有する。図１０に示された如く、丸薬容器は、丸薬セル３１を円状に均等に整列させてなる。各丸薬セルは、一つの丸薬をを含む大きさであり、４つの側壁、頂面と開いた底面を有する。円の大きさは、摂生における丸薬の数によって決定される。丸薬セル３１は、図１１において最良に示された内壁３２と外壁３３、及び図１０において最良に示された頂面３４を集合的に形成する。丸薬容器２９は、透明なプラスチックの如く透き通った材料で作られ、その結果、丸薬は可視であり、特に、空及び充填した丸薬セルの数が観察される。丸薬セル３１は、底部から装填された丸薬を収容する。最後の丸薬セル３５は、摂生の最後の逐次の丸薬に対して指定される。最後の丸薬セル３５は、図１０の部分図に示された如く、最後の丸薬セル３５を覆う外壁部分において最後の丸薬スロットを有する。最後の丸薬スロット３６は、底部において開き、外壁３３の部分高度まで伸長する。最後の丸薬スロット３６は、丸薬セル側壁における傾斜表面３７によって一方の側において縁取られる。傾斜表面３７は、丸薬容器２９が側平面において回転された時、最後の丸薬セル３５の内部から最後の丸薬スロット３６を通って伸長する相互貫入たわみ機構をカム作用させるために役立つ。図示の実施態様において、回転は時計回りであり、傾斜表面の位置は、最後の丸薬スロットに関して反時計回りである。また、図１０の部分図において、丸薬セル３１と一対一対応を形成するように規則正しい配列において位置付けられた外壁３３における丸形垂直通路３８が示される。
【００１５】
図１１において最良に示された如く、頂面３４は、外側に突き出る表縁３９を有し、丸薬容器２９を取り囲むリップを形成する。図１０を参照すると、丸薬容器２９が、リム４２を有する基部フランジ４１によって縁取られた円形孔４０を中心において有することが示される。基部フランジ４１は、内壁３２の底部に取り付けられ、基部フランジ底面４４を有する。基部フランジ底面４４は、つめ軌道を有するつめ車機構の構成部分から成る円形つめ車軌道４５を彫られる。つめ車機構は、機械技術において非常に公知である。図１１において最良に示されたこの実施態様は、摂生における丸薬の数に等しい計数の戻り止めを形成する垂直止め具４７の方に傾いた軌道傾斜路４６から構成された。垂直止め具４７は、３６０度の商と摂生における丸薬の数に等価な角間隔を有する円形孔の半径に沿って整列される。垂直止め具４７と軌道傾斜路４６は、つめ状物体（不図示）の介在により、丸薬容器２９の反時計回り回転が、垂直止め具４７に対するつめ状物体の突き合わせによって防止され、一方、時計回り回転が、つめ状物体を下方に偏向させ、つめ状物体が新しい戻り止めに登録された次の指数位置への遷移を引き起こす軌道傾斜路４６によって容易にされる如く偏向される。
【００１６】
図１１を参照すると、内壁３２は、摂生における丸薬の数に等しい計数において内壁３２の回りに均等に整列された垂直鋸歯４８を具備する浮彫りを有する。各鋸歯は、同心に位置するボア４９によって規定された厚さの本質的にくさび形状の機構を具備する。図２０の断面図に示された如く、各鋸歯は、さらに、３つの縁面を具備する。傾斜路面５０は、上方の露呈に対して位置付けられ、重なり面５１は、下方の露呈に対して位置付けられ、そして鋸歯突合せ面５２は、垂直姿勢において鋸歯の頂点において位置付けられる。傾斜路面５０は、垂直に対して傾きと、水平に対して勾配を有する。内壁３２に関する傾斜路面５０の傾きは、戻り止めを形成し、そして傾斜路面の勾配は、すべり下方力が傾斜路面の表面に加えられた時、つめ車軌道４５の開程に等しい丸薬容器２９の時計回り回転動作を規定するように十分に傾斜される。重なり面５１は、斜面を形成し、鋸歯の厚さ上で内壁３２の表面からの遷移を漸進的にさせる。鋸歯４８は、各指数位置が整合される如く、つめ車軌道４５に対して方向付けられる。
【００１７】
基部構成要素：図６と図７は、機能の中でも特に作動部品を固定するために役立つ基部２７の好ましい実施態様を例示する。基部２７は、プラスチックの如く材料から作製され、部材の質量に依り、幾つか剛性部材と他のたわみ部材を含む。図６に示された如く、本質的に円形の基部２７は、平台５３、周壁５４と中心に位置した垂直回転軸を具備する。基部のまわりは、組み立てられた時、周壁５４が丸薬容器２９の限界を画する如くである。周壁５４は、周壁５４に対する反時計回り縁５６を規定するスロット５５によって中断される。平台の前半分を規定する平台５３における丸薬出口孔５７は、スロット５５に隣接して位置し、丸薬容器２９における包み込みから回転された丸薬を放出するために役立つ。ばね指５８は、周壁５４の反時計回り縁５６から丸薬出口孔５７の上の空間へ伸長する。丸薬容器２９が基部２７に初期的に組み立てられた時、ばね指５８は、最後の丸薬セル３５の内部空間への最後の丸薬スロット３６を通って介入され、最後の丸薬を丸薬出口孔５７の上に掛留させるために役立つ。ばね指５８は、曲げられ、基部に関する丸薬容器の最初の時計回り回転中、外側に曲げることによる最後の丸薬セル３５からのばね指５８の回収において、丸薬容器２９の傾斜表面３７と協同する。ばね指５８の長さと角度によって設けられた貫入の程度は、最後の丸薬との接触が、丸薬出口孔５７から閉鎖位置へ最後の丸薬を安全に遷移させために回転中十分に長く維持され、ここで、平台５３が最後の丸薬セル３５の開底部を覆う如くである。複数の方向付けタブ５９は、周壁５４から放射状外側に突起する。この特定の実施態様において、方向付けタブ５９は、非対称的に整列され、方向付けタブを収容する相補的形状を有する包絡構造（不図示）への基部２７の唯一の定位を設ける。
【００１８】
図６を参照すると、コネクタ収容孔６０が、平台５３の中心に位置し、相対して分岐する２つのキ−溝を有する円形である。コネクタ収容孔６０とキ−溝６１を取り囲む中心壁６２は、平台５３から垂直に立設される。中心壁６２の下方部分は、外側に広がるが、上方部分はまっすぐな側部を有する。これは、図７において最良に示される。中心壁６２の上方部分は、螺旋状傾斜路６３を形成するために、各キ−溝６１に隣接して部分的に切欠きにされる。螺旋状傾斜路６３は、中間高度において位置付けられたノッチ６４に到達するために右回り４分の１回転の範囲においてキ−溝６１から上昇する。ノッチ６４は、突合せ縁６５を具備する中心壁６２の上方部分の立ち上がる４分の１によって縁取られる。平台３の前半分における突合せ縁６５は、ノッチ６４に隣接した水準面６６を設けるように切欠きにされる。ここで記載されたコネクタ収容孔６０と中心壁６２の幾何学的形状及び機能は、プランジャー３０とプラグコネクタ２７の要素と協同するように設計される。このため、全機能の説明は、これらの要素の詳細な説明を待つ。
【００１９】
図６を再び参照すると、２つの架台支柱６７が、取り付けられた平台５３の後半分に位置付けられることが示される。架台支柱６７は、相対して直面し、平台５３の上の高度において水平回転軸を規定する架台凹部６８において終端する。この特定の実施態様において、水平回転軸は、架台支柱６７の間の中途の垂直線がまた、平台５３に平行な平面において垂直回転軸に交差し、３６０度の商と摂生における丸薬の数として規定された垂直回転軸における共通な交差点を通過する丸薬出口孔５７の共面の中心線に関して角度を形成する如く、位置付けられる。架台支柱６７と架台凹部６８の立面図は、図７において示される。図７をさらに参照すると、架台支柱６７は、水平回転軸に垂直な方向において特別な剛性を与える剛性基部を形成するために広がることが示される。架台支柱６７の間の横の広がりと組み合わされたこの特別の剛性は、水平回転軸に捻れ安定性を寄与する。一つ以上の架台保持ラッチ６９は、架台支柱６７の間に位置付けられ、水平回転軸に平行に整列される。図６において示された特定の実施態様において２つの1架台保持ラッチ６９がある。各架台保持ラッチ６９は、架台保持ラッチ腕７０、架台保持ラッチノッチ７１及び架台保持ラッチすべり面７２から構成される。平台５３への装着点から、架台保持ラッチ腕７０は、おおいかぶさるように高架された架台保持ラッチノッチ７１を柔軟に支持し、これにより、架台凹部６８において着座した時、まだ記載されないバー状の機構を回転可能に捕捉する。架台保持ラッチ６９の上に位置付けられた架台保持ラッチすべり面７２は、物体が迂回中下方に押下された時、架台保持ラッチ６９を公然とたわませるように傾斜される。
【００２０】
図６に示された如く、２つの直立の平行ビ―ムばね７３は、平台５３の前半分に取り付けられ、水平回転軸の垂直二等分線にまたがるように位置付けられる。平行ビ―ムばね７３は、バネ７３のたわみ度を剛化させるために、外側縦表面に沿ってばね控え壁７４を備える。控え壁の高さとビームの多様な先細りは、平行なビ―ムばね７３の端部の間に下方に押しやられた広がる物体に対して特定の力を設けるように調整される。くさび保持ラッチ７５は、平行なビ―ムばね７３と、水平回転軸の垂直二等分線によって横断された中心壁６２の間の空間における平行なビ―ムばね７３に隣接して位置付けられる。図７において最良に示された前記の架台保持ラッチ６９と同様に、くさび保持ラッチ７５は、くさび保持ラッチ腕７６、くさび保持ラッチノッチ７７とくさび保持ラッチすべり面７８から構成される。平台５３に取り付けられたくさび保持ラッチ腕７６は、くさび保持ラッチノッチ７７に対してたわみ支持物を設ける。くさび保持ラッチノッチ７７は、水平回転軸から下方に弧状に旋回する、初期的にノッチと掛合して位置付けられた機構の掃引を収容するために、平台５３の上の十分な隙間を設ける。くさび保持ラッチ腕７６は、その回転パスからの干渉を避けるために十分な隙間を有する。くさび保持ラッチすべり面７８は、くさび保持ラッチ７５の上に位置付けられ、物体が迂回中下方に押下された時、くさび保持ラッチ７５を公然とたわませるように傾斜される。
【００２１】
複数の据付けフック７９は、垂直回転軸の周りに整列される。（図６に示された実施態様において、３つのそのような据付けフック７９がある。）円は、丸薬容器２９のリム４２に内接し、平行なビ―ムばね７３、架台支柱６７と架台保持ラッチ６９の限界を画するために十分な寸法の直径を有する。据付けフック７９は、架台保持ラッチ６９と楔保持ラッチと同様の機能を有し、このため、同様にして同様の機能を行うことが、図７から見られ、下記の説明から演繹される。各据付けフック７９は、据付けフック腕８０、据付けフックノッチ８１と据付けすべり面８２を具備する。据付けフック腕８０は、平台５３への装着点から据付けフックノッチ８１を柔軟に支持する。据付けフックノッチ８１は、そのような様式で方向付けられ、丸薬容器２９のリム４２に部分的に重なる十分な高度を有し、回転可能な結合を形成する。図１９は、組立体の断面図を示す。据付けフックすべり面８２は、据付けフック７９の上に位置付けられ、丸薬容器２９が下方に押下された時、据付けフック７９を公然とたわませるように傾斜される。
【００２２】
つめ車軌道４５と相補的なつめ車機構の一部を形成する一つ以上のつめ車ばね８３は、垂直回転軸に中心を置き、つめ車軌道４５の直径に等しい直径を有する円の周りに整列される。摂生における丸薬の数の計数までの任意の数のつめ車ばね８３が、理論上可能であるが、システムは、一つ又は二つのそのようなつめ車ばね８３で最良に作動する。これは、つめ車ばね８３が同時に作用するために必要な調整を最小化し、回転部材における抗力を縮小する。図６において示された特定の実施態様において、２つのつめ車ばね８３は、等間隔に離間され、摂生における丸薬の数が偶数であることの含蓄を伝える。各つめ車ばね８３は、平台８３に取り付けられ、時計回り回転の方向において傾けられ、軌道傾斜路４６との相互作用による下方力に弾力的に応答する。各つめ車ばね８３は、つめ車軌道４５の軌道傾斜路４６と垂直止め具４７との掛合のためのつめ車つめ８４において終端する。つめ車つめ８４は、垂直止め具４７と調和するように放射状に整列され、一体的に離間される。指数位置は、つめ車軌道４５の戻り止めにおけるつめ車つめ８４の着座によって規定される。つめ車つめ８４の円の周りの位置付けは、各指数位置が、丸薬出口孔５７との丸薬セル３１の一つの位置合わせに対応する如くである。
【００２３】
周期数表示リング：図８と図９は、丸薬の摂取を可変にラベル付けるために役立つ周期数表示リング２８の好ましい実施態様を例示する。この構成部分はまた、プラスチックの如く材料から作製され、部材の質量に依り剛性ないしたわみ性の性質を有する。図８に示された如く、円形の周期数表示リング２８は、周期数のインジケータ８６が印刷又はを彫り込まれたリング頂面８７を具備する。周期数のインジケータ８６は、組み立てられた時、丸薬容器２９の丸薬セル３１と一対一対応が確立されるような数と間隔において、リング頂面８５の周りに整列される。周期数のインジケータ８６は、摂生の任意の特定丸薬の投与のタイミングを指示するか、又は そのような投与の進行を指示する任意の文字、番号又はアイコン、あるいはそれらの任意の組合せ又は混合物である。インジケータのセットは、任意の開始点が循環する如く、周期又は多重の周期を規定する。このようにして、開始点は、特定の摂生と情況に対して適切に変化される。この実施態様において、周期数のインジケータ８６は、曜日である。面取り面８７は、装飾仕上げと握り位置を設けるリング頂面８５の外縁から下方外側に傾斜する。示された実施態様において、ぎざぎざ８８が、使用者の握りを補助するために設けられる。
【００２４】
図９において最良に示された如く、リング壁８９は、内縁においてリング頂面８５に連結され、組み立てられた時、基部２７の周壁５４の上縁に載るように下方に伸長する。図８を再び参照すると、特定複数の区分柵９０が、部分高度においてリング壁８９に取り付けられ、横内向きに伸長する。直径は、丸薬容器２９と組み立てられた時、リング壁８９が表縁３９を取り囲み、区分柵９０が、外壁３３を取り囲み、表縁３９が区分柵９０に重なり、これにより、組立品において仕組まれた時、丸薬容器２９と基部２７の間に周期数表示リング２８をトラップする如くである。この組立品の仕組みは、図１９の断面図において最もよく観察される。区分柵９０の下のリング壁８９の部分の長さは、周壁５４の上の表縁３９の高さによって規定され、周期数表示リング２８を回転させる隙間に対する許容差を有する。残りのリング壁８９の長さは、丸薬容器２９の頂面３４に関するリング頂面８５の所望の高さによって決定される。この実施態様において、リング頂面８５は、周期数インジケータ２８の操作を容易にするために高レベルにある。
【００２５】
図８を参照すると、接線ばね９１が、区分柵９０の一方の端部に溝を付けることにより、形成されることが示される。各接線ばね９１は、接線ばね９１のたわみ性により内方バイアスと、リング壁８９からの位置により外側に偏向する余地を設けられた丸つめ９２において終端する。丸つめ９２は、指数位置を規定する丸薬容器２９の垂直通路３８に同時に着座する如く整列される。複数の丸つめ９２と、結果として、複数の区分柵９０は、最小３つから、摂生における丸薬の数までの空間が許す最大数までの範囲を取る。対立した丸薬容器との少なくとも３つの接点が、周期数表示リング２８を周囲に掛留するために必要とされる。この特定の実施態様において、４つの丸つめ９２が、均等に離間され、摂生における丸薬の数が４で除算可能であるという含意を伝える。丸つめ９２は、丸薬セル３１との位置合わせが生ずる如く、周期数のインジケータ８６に指向される。
【００２６】
図８において最良に示された丸つめ９２の輪郭と、図１０において最良に示された垂直通路３８の相補的輪郭の対称性は、設定を達成するために、丸薬容器２９の周りの周期数表示リング２８の等辺回転を許容する。後述される如く、丸薬容器２９は、丸薬を分配するために作動されるのでないならば、通常、定置して保持され、その結果、周期数表示リング２８をつかみ、回すことにより、回転が達成される。初期設定は、投与下の特別の摂生のために適切な周期数のインジケータ８６により、摂生の最初の丸薬と、各逐次の丸薬にラベルを付ける。設定は、丸薬容器２９の回転により一定のままであるが、周期数のインジケータ８６は、一定登録点に関して分配毎に変化する。
【００２７】
プランジャー構成要素：図１２、図１３と図１４は、機能の中でも特に、丸薬容器２９に循環的な駆動力を設けるためにに役立つプランジャー３０の好ましい実施態様を例示する。この構成部分はまた、部材の質量に依り、剛性又はたわみ性のプラスチックの如く材料から作製される。図１４に示された如く、プランジャー３０は、丸薬容器２９のボア４９よりも僅かに小さな直径寸法を有する円筒壁９４によって取り囲まれたプランジャー基部９３を具備する。スロット付き拡張部分９５は、円筒壁９４を通って突出し、プランジャー基部９３に対して前半分を規定するその点において不連である。プランジャー基部９３の後半分において位置付けられたピボット９６は、プランジャー基部９３に垂直に装着され、水平のピボットバー９８によって端部において架橋された２つの剛性なピボット支持腕９７を具備する。水平のピボットバー９８は、図１３において最良に示された丸形断面を有する。ピボット９６は、架台凹部６８内に旋回可能に着座するような大きさと位置にあるが、水平のピボットバー９８は、基部２７に組み立てられた時、架台保持ラッチノッチ７１の下に部分的に重なる。
【００２８】
図１４において示された如く、延展する楔９９は、プランジャー基部９３の前半分に取り付けられ、組み立てられた時、基部２７の平行なビ―ムばね７３を広げるように位置付けられ、プランジャー３０に加えられた下向き旋回力によって誘導される。このようにして、延展する楔９９の輻合側に対して上向きに作用する往復力に対する潜在力が、平行なビ―ムばね７３において生成される。往復力は、プランジャー３０を休止位置に自動的に戻し、ここで、延展する楔９９は、平行なビ―ムばね７３の口において支えられ、これにより行程サイクルを完了する。図１３において示されたピボット支持腕９７の長さは、プランジャー３０が休止位置において水平である如くである。さらに図１３を参照すると、楔止め１００がプランジャー基部９３に取り付けられ、組み立てられた時、基部のくさび保持ラッチ７５と調和するように位置付けられることが示される。楔止め１００は、休止位置においてくさび保持ラッチノッチ７７の下に部分的に重なり、これにより、プランジャー３０の上方旋回移動を制限するように、垂直に位置付けられた水平止めバ―１０１を具備する。縦スロット１０２は、オーバーヘッド構造の下向き回転によって必要とされる如く、縦スロット１０２において介入されたくさび保持ラッチノッチ７７の自由な移動のために、止めバ―１０１の上に設けられる。
【００２９】
プランジャーロック１０３は、楔止め１００の後方に位置付けられ、組み立てられた時、基部２７の中心壁６２の水準面６６と調和するように位置付けられる。図１４において示された如く、プランジャーロック１０３は、ロック突合せ面１０５において終端するプランジャー基部９３に取り付けられたたわみビ―ム１０４から構成される。たわみビ―ム１０４は、中心壁６２に向かって内側下方に傾斜され、プランジャー３０が休止位置にある時、ロック突合せ面１０５に水準面６６を突き合わせるような距離にわたる。これは、たわみビ―ム１０４がまだ記載されていない装置によって横に偏向された時を除いて、丸薬の偶然の発現を生ずる不注意の旋回に対して、プランジャー３０を控え壁で支持する目的に役立つ。図１４において、延展する楔９９、楔止め１００、プランジャーロック１０３とピボット９６はすべて、プランジャー基部９３とスロット付き拡張部分９５の中心と共線的であることが示される。組立品を例示する図１９の断面立面図を参照すると、共通線に沿った位置付けは、円筒壁９４が丸薬容器２９のボア４９内に嵌まり、スロット付き拡張部分９５が鋸歯４８におおいかぶさる如くであることを示す。この図はまた、休止位置において姿勢を取ったプランジャー３０と基部２７の対応する部分の介在を示す。
【００３０】
図１４を再び参照すると、すべりシュー１０６が張り出したスロット付き拡張部分９５の端部に取り付けられることが示される。図２０の部分断面図は、以下の詳細を最もよく図示する。すべりシュー１０６は、たわみ腕１０７と、たわみ腕１０７を時計回り方向において伸長させる傾斜された拡張部分１０８を具備する。傾斜された拡張部分１０８の遠位端部は、プランジャー３０の共通線に沿って下がり、組み立てられた時、丸薬容器２９の鋸歯４８の一つの遠位端部の上に直接に位置付けられる。伸長するたわみ腕１０７は、下方に露呈されたすべり面１０９を有する。すべり面１０９は、旋回行程中傾斜路面５０に対して下方に移動するすべり面１０９が接触面を連動させ、同時に勾配に沿って相対してすべり、このようにして、トルクを丸薬容器２９に伝える如く、鋸歯４８の傾斜路面５０と相補的な傾きと勾配を有する。トルクは、基部２７とプランジャー３０に関する丸薬容器２９の回転移動を引き起こし、これにより、丸薬出口孔５７の上に丸薬セル３１を進め、含まれた丸薬を放出させる。最初の回転移動の場合に、掛留された最後の丸薬はまた、丸薬出口孔５７を通って運ばれる。たわみ腕１０７の傾斜された拡張部分１０８は、ピボット行程の終結により、作動する鋸歯４８と次の前進する鋸歯の間の介在する空間ヘ駆りたてられる。傾斜された拡張部分１０８は、鋸歯４８の重なり面５１と相補的な斜角の上方に露呈された迂回面１１０を有し、迂回面１１０が重なり面５１に対して上方に移動する時、たわみ腕１０７とスロット付き拡張部分の複合構造が内向きに曲げられ、斜面に沿って相対してすべり、平行なビ―ムばね７３の往復力の推進下で、次の前進する鋸歯４８の厚さの上を遷移する。遷移は、次の前進する鋸歯４８の上のすべりシュー１０６の再姿勢で終わり、これにより、これにより、丸薬容器２９の行程サイクルと指数を完了する。
【００３１】
図１４を参照すると、制限バー１１１が、組み立てられた時、すべりシュー１０６と正反対の位置における円筒壁９４から、丸薬容器２９の円筒壁９４と内壁３２の間の介在する空間へ外側に伸長することが示される。制限バー１１１の程度は、制限バー１１１の垂直面１１２は、摂生の中点を表現する丸薬セルに最寄りの鋸歯突合せ面５２と近接して位置付けられる如くである。制限バー１１１の垂直の位置付けは、垂直面１１２と鋸歯突合せ面５２の介在が、プランジャー３０が休止位置にある時のみ発生し、これにより、丸薬容器２９の理由のない時計回りの進行を防止する如くである。丸薬容器の反時計回り移動は、つめ車機構によって制限されることが想起される。このため、丸薬容器の移動は、丸薬の偶然の吐出しを防止するために役立つこれらの２つの装置の組合せによって有効にロックされる。プランジャー３０が旋回される時、制限バー１１１は、鋸歯突合せ面２９に関する隙間位置へ回転し、これにより、丸薬容器２９の前進を許容する。図１９は、制限バー１１１（仮線）を示す。
【００３２】
カバー１１３は、装飾装置として、プランジャー基部９３に頂面に取り付けられる。図１２において示された特定の実施態様において、カバー１１３は、作動する丸薬セル３１への定位においてスロット付き拡張部分９５を越える点突起１１４と、対応する周期数のインジケータ８６とを具備し、これにより、指示のための固定基準点として役立つ。図１３において示された如く、点突起は、指針頂面１１５と指針底面１１６を具備する。指針頂面１１５は、旋回力をプランジャー３０に加えるための指圧位置として機能する。指針頂面１１５はまた、操作のための好ましい技術を容易にするために、「押す」の如く指示のラベルを付けられる。指針底面１１６は、丸薬容器２９の頂面３４との接触のよるピボット行程の過拡張を防止するために役立つ。精密なピボット行程は、このため、鋸歯の勾配、丸薬セル間隔と指針底面の高度の組合せとして規定される。点突起１１４の移動は、図１９において仮線で示される。カバー１１３は、にかわ又は音波溶接の如く任意の締結手段によってプランジャーに取り付けられる。この機能の連合を制限するスロット付き拡張部分の上の取り付けを避けるように注意が払われる。
【００３３】
ヒンジ付きシェル構成部分：図４と図５は、丸薬を含む部分組立品を封入かつ保護するために役立つヒンジ付きシェル２６の好ましい実施態様を例示する。この構成部分は、剛性と、光劣化の場合に、不透明度の特性を有するプラスチックの如く任意の材料から作製される。ヒンジ付きシェル２６は、底部要素１１７と頂部要素１１８を、ヒンジ機構１１９によって結合し、ラッチ機構１２０によって閉じてなる。両方の機構は、機械技術において一般に使用され、多様な設計のいずれも適切である。ヒンジ付きシェル２６は、基部２７、丸薬容器２９、周期数表示リングとプランジャー３０の部分組立品を全体的に含むように構成され、寸法を決められ、部分組立品は、丸薬の摂取を装填された時、補充ユニットを構成する。図４を参照すると、底部要素１１７が床面１２１と囲繞壁１２２を具備することが示される。床面１２１における丸薬放出孔１２３は、補充が適正に方向付けられた時、基部２７の丸薬出口孔５７と整列するように位置付けられ、これにより、丸薬用導管を設ける。周期数表示リング２８のリング壁８９の限界を画するために十分な直径を有する円形の固定壁１２４は、囲繞壁１２２の内向きの底部要素１１７に取り付けられ、組み立てられた時、リング壁８９の中間高度まで立設される。固定壁１２４は、基部２７の方向付けタブ５９を通過させるために十分な幅の固定壁スロット１２５によって区分化される。立面図の詳細が、図５において示される。図４を再び参照すると、固定壁スロット１２５は、方向付けタブ５９と対応するように整列され、基部２７が固定壁スロット１２５を通った方向付けタブの拡張部分により固定される時、丸薬放出孔１２３と丸薬出口孔５７が位置合わせされる如く、床面１２１に対する定位を有する。この実施態様において、図１９に示された如く、囲繞壁１２２と固定壁１２４の間の空間は、周期数表示リング２８の面取り面８７によって装飾的に覆われる。
【００３４】
図４において最良に示された如く、床面１２１におけるコネクタ固定孔１２６は、組み立てられた時、基部２７のコネクタ収容孔６０と整列するように位置付けられる。この実施態様において、コネクタ固定孔１２６は円形であり、基部２７のキ−溝６１の径間に等しい最小直径を有する。コネクタ固定孔１２６は、床面１２１に結合された複数のたわみ保持支柱１２７によって縁を付けられる。この実施態様において、２つの保持支柱２７があり、保持支柱端部１２８の間で左右相称に円形物体を留めるように配置される。保持支柱端部１２８は、保持支柱１２７の内方と上方の径間により、床面１２１の上の一様な高度において孔の狭幅を設ける。保持支柱構造は、基部２７の中心壁６２の広がり部分内に嵌まるために十分に小さい。ここで記載されたコネクタ固定孔１２６と保持支柱１２７は、プラグコネクタ２４の要素と協同するように設計される。このため、全機能の説明は、プラグコネクタ２４の詳説に従う。
【００３５】
プラグコネクタ構成部分：図１５、図１６、図１７と図１８は、機能の中でも特に、補充ユニットをヒンジ付きシェル２６に除去可能にロックするために役立つプラグコネクタ２４の好ましい実施態様を例示する。この構成部分は、靭性の性質を有するプラスチックの如く任意の材料から作製される。図１６と図１７を参照すると、プラグコネクタ２４は、基部２７のコネクタ収容孔６０より小さな直径を有する管状の本体１２９を具備し、これにより、ヒンジ付きシェル２６の底部要素１１７のコネクタ固定孔１２６とコネクタ収容孔６０の両方を通った貫入を可能にする。プラグコネクタ２４は、さらに、円形の基部フランジ１３０を管状の本体１２９の一端部において結合してなる。基部フランジ１３０の直径は、管状の本体１２９が底部要素１１７と基部フランジ１３０の接触によって制限される如く、コネクタを固定孔１２６の直径よりも大きい。基部フランジ１３０の平面図が、図１５と図１８において観察される。図１８を参照すると、基部フランジ１３０が、プラグコネクタ２４をねじるために、貨幣の如く工具を挿入するためのスロット１３１を底面において有する。
【００３６】
管状の本体１２９は、他方の端部において２つのキータブを取り付け、キ−溝６１を通って嵌まるように構成されて、寸法を決められ、組み立てられた時、基部２７の中心壁６２の螺旋状傾斜路６３とノッチ６４に部分的に重なるために十分な横範囲を有する。図１５と図１６は、それぞれ、キータブ１３２を平面図と立面図において示す。管状の本体１２９の高さは、底部要素１１７と接触して整列した孔と基部フランジ１３０を相互貫入する際に、キータブ１３２が、管状の本体１２９とヒンジ付きシェル２６及び基部２７の仕組み組立において適度の公差を有して、螺旋状傾斜路６３の底部をクリアする如くである。プラグコネクタ２４が、工具を工具スロット１３１に挿入し、同一水準にすることにより、４分の１回転時計回りにねじられる時、キータブ１３２は、螺旋状傾斜路６３に載置され、ノッチ６４において着座し、これにより、公差を除去し、仕組み組立品を整然とロックする。基部２７の前半分に回転するキータブ１３２は、衝程パスを横切ってその座からプランジャーロック１０３を同時にはずし、これにより、中心壁６２の外側に載値するようにプランジャーロック１０３を偏向させることにより、プランジャー３０を解放する。この安全装置の結果として、丸薬は、ヒンジ付きシェル２６へ装填されるまで、分配されない。中心壁６２の広がった部分は、たわみビ―ム１０４の屈曲を漸次的に増大させ、これにより、平行なビ―ムばね７３の相互力を補う。プランジャーロック１０３は、プランジャー３０が図１９において休止している偏向位置において示される。
【００３７】
管状の本体１２９はまた、図１６と図１７において示された、装着ロックリング１３３を有し、コネクタ固定孔１２６よりも小さく、ヒンジ付きシェル２６の保持支柱１２７によって限界を画された円よりも大きな皿状の横範囲を有する。ロックリング１３３の高度は、プラグコネクタ２４が底部要素１１７に十分に挿入され、ロックリング１３３が、保持支柱１２７を外側にたわませることにより迂回へ押しやられる時、保持支柱端部１２８の重なりが、確立される如くである。重なりは、プラグコネクタ２４をヒンジ付きシェル２６に永久に回転可能に結合し、これにより、補充ユニットの装填と除去を簡単にするために役立つ。
【００３８】
本発明のディスペンサー２５は、通常、完全に組み立てられ、丸薬を充填されて供給される。図１は、使用のために用意ができた開かれたディスペンサー２５を示す。使用者は、周期数表示リング２８の面取り面８７をつかみ、適切な周期数のインジケータ８６がプランジャー３０の点突起１１４と整列されるまで、周期数表示リング２８を右又は左に回すことにより、最初に開始インジケータを設定する。図２に示された例において、開始日は、水曜日である。現在の日付である分配日は、点突起１１４と整列し、充填及び非充填丸薬セル３１の間の進行する境界を表現するために、月曜日として識別される。丸薬を分配するステップに対して幾つかの方法がある。好ましい方法は、使用者が、一方の手で開いたディスペンサーを保持し、親指は点突起１１４の上に位置付け、手のひらは、指によって支持されたヒンジ付きシェル２６の丸薬放出孔１２３の下をふさぐものである。親指は、手の締結作用により点突起１１４に対して押し下げられ、プランジャー３０を旋回させ、丸薬容器２９を回転させる。丸薬は、丸薬容器２９が一つの指数位置だけ前進し、作動する丸薬セル３１で丸薬出口孔５７を覆う時、ふさいだ手のひらに落下される。分配手順は、すべての丸薬が放出されるまで、毎回周期数表示リング２８において指示されて繰り返される。摂生の終了において、消費された補充薬は、プラグコネクタ２４の工具スロット１３１に貨幣を挿入し、反時計方向に４分の１回転ねじることにより、取り除かれる。消費された補充薬は、ヒンジ付きシェル２６から引き上げられ、新しい補充薬と交換される。交換手順は、基部２７の方向付けタブ５９とヒンジ付きシェル２６の固定壁スロット１２５を整列させることにより、ヒンジ付きシェル２６に補充薬を配置し、その後、プラグコネクタ手順をを逆転することにより、適所に補充薬をロックすることを含む。
【００３９】
本発明の前述の改版は、正しい丸薬が、選択における人為的間違いを除去することにより常に分配されることを保証する利点を含む、多数の利点を有する。充填したディスペンサー２５は、摂生の最初の逐次丸薬を、点突起１１４と整列され、丸薬出口孔５７に隣接した作動位置にして、使用者に提示される。最初の丸薬がディスペンサー２５から発現される唯一の方法は、プランジャー３０を押し下げ、これにより、丸薬容器２９を一指数位置だけ前進させ、最初の丸薬を放出するものである。制限バー１１１は鋸歯４８の一つとの干渉位置にあるために、丸薬容器２９は、プランジャー３０を作動させることを除いて、時計方向に回転されない。同様に、丸薬容器２９は、つめ車つめ８４がつめ車軌道４５の垂直止め具４７に対してに突き合わされるために、反時計回り方向には押しやられない。第二の丸薬を入手する唯一の方法は、まず最初の丸薬を分配することによる。このようにして、摂生の各丸薬は、順次に取られる。本発明の別の利点は、１ステップ分配手順である。使用者は、丸薬を分配し、同時に、次の分配サイクルに対して丸薬容器２９を前方に割出すために、プランジャー３０を押せばよい。周期数表示リング２８は丸薬容器２９とともに進行するために、作動位置において載せられた丸薬は、次の分配サイクルに対する正しいタイミングを使用者に思い出させる関連した周期数のインジケータを有する。
【００４０】
本発明のディスペンサーの要素に対して選択された材料は、一般に、ディスペンサーの機能の選択と適合性にまかせられるが、すべての構成部分は、好ましくは、プラスチックから作られる。汎用ポリスチレンの如く商品樹脂は、拡張使用に対して十分な剛性と耐久性を設けながら、所望の構成に都合よく射出成型される。ポリスチレンの衝撃改版は、たわみ性と靭性に対して必要とされる特性を与える。乳白剤の不在において、ポリスチレンは、丸薬容器２９のために有益な透明度の特性を有する。好ましい実施態様において、ヒンジ付きシェル２６は、硬度と耐1ひっかき性の特性を有するアクリロニトリルブタジエンスチレン（ＡＢＳ）から作られる。リング頂面８５とカバー１１３に印刷する方法は、ホットスタンピング又はパッド印刷による。ディスペンサー２５の大きさは、摂生における丸薬の数によって決定されるが、使用者の手のひらにはまることが好ましい。典型的に、丸薬の数は、２８であり、そしてまわりは、約２．８インチ（７．１ｃｍ）である。
【００４１】
本発明が、好ましい改版を参照して詳細に記載されたが、他の改版も可能である。例えば、丸薬容器を循環的に割出すための代替的手段は、ばね反跳機構であり、この場合、ばねは、丸薬容器に固定して結合され、ばねを装荷し、それを前方に割出す能力を有する別の部分に可動に結合される。プランジャーを引き上げる代替的手段は、コイルばね又はバウばねである。補充ユニットをヒンジ付きシェルに方向付けるための代替的手段は、種々のサイズのタブ、又は孔を連動させることによる。補充ユニットとヒンジ付きシェルを除去可能に連結するための代替的手段は、スライドロックである。丸薬のシ−ケンスを指示するための代替的手段は、圧入リングである。このため、添付のクレイムの精神と範囲は、ここに包含された好ましい改版の説明に限定されるものではない。
【００４２】
本発明の主なる特徴及び態様は、以下のとおりである。
【００４３】
１．丸薬の周期的摂取のための自己発動順序指示補充型ディスペンサー（２５）において、
（ａ）平台（５３）と、平台（５３）の中心に垂直な回転軸と、平台（５３）の周囲における丸薬出口孔（５７）と、周囲において基部（２７に装着され、丸薬出口孔（５７）の上の空間にまで伸長するばね指（５８）と、端部において対向する架台凹部（６８）を有する平台（５３）に硬直に取り付けた２つの垂直な架台支柱（６７）であり、架台凹部（６８）は回転軸に垂直な軸を規定する、２つの垂直な架台支柱（６７）と、丸薬出口孔（５７）と回転軸に垂直な軸の間の、平台（５３）に装着した２つの垂直な平行ビームばね（７３）とを有し、平行ビームばね（７３）と架台支柱（６７）は、回転軸を通過する共通二等分線をまたぐ、本質的に円形の基部（２７）と、
（ｂ）丸薬出口孔（５７）と回転軸の間の距離に等しい半径を有する円の周りに均等に配列された丸薬セル（３１）と、底部開口を除いて、閉鎖された丸薬セル（３１）を取り囲む頂面（３４）によって連結された内壁（３２）及び外壁（３３）と、摂生の最後の逐次丸薬のために確保された最後の丸薬セル（３５）と、丸薬出口孔（５７）の上に位置した時、最後の丸薬を掛留させるために役立つばね指（５８）の挿入のための最後の丸薬セル（３５）へ開く最後の丸薬孔と、丸薬容器（２９）が進められる時、最後の丸薬を発現することなく、丸薬セル（３１）の経路からばね指（５８）をカム作用させる手段と、丸薬セル（３１）に数と間隔が対応する外壁における垂直通路（３８）と、平行ビームばね（７３）と架台支柱（６７）の限界を画するような大きさの丸薬容器（２９）の中心における円形孔（４０）と、円形孔（４０）と内壁（３２）の底部の間の基部フランジ（４１）と、丸薬容器（２９）が最後の丸薬セル（３５）を丸薬出口孔（５７）の上において回転軸に中心を据えた基部（２７）に組み立てられた時、丸薬容器（２９）を回転可能に保持するための手段とを有し、基部（２７）が、丸薬セル（３１）に底面を形成し、これにより、各丸薬セル（３１）が丸薬出口孔（５７）の上を進められ、内在する丸薬を落下させるまで、丸薬を包含し、更に、時計回りのみの動作を規制するために丸薬容器（２９）と基部（２７）の間に介在されたつめ車手段（４５）と、計数と間隔において丸薬セル（３１）に対応する垂直鋸歯のセット（４８）とを有し、鋸歯（４８）は、丸薬容器（２９）を一指数位置だけ回転させるために十分なピッチと行程を有するすべり傾斜面セット（４８）の半分を具備し、鋸歯（４８）とつめ車手段（４５）は、各指数位置が丸薬出口孔（５７）と丸薬セル（３１）の位置合わせに対応する如く、丸薬セル（３１）に対して方向付けられ、各鋸歯（４８）は、内壁（３２）と鋭角を形成する上向き傾斜路面（５０）と、内壁と斜角を形成する下向き重なり面（５１）を有する、丸薬容器（２９）と、
（ｃ）数と間隔において丸薬セルに対応する周期数のインジケータ（８６）を刻印されたリング頂面（８５）と、リング頂面（８５）の内側リムに装着されたリング壁（８９）と、丸いリングつめ（９２）において終端するリング壁（８９）に装着した複数の接線ばね（９１）とを有し、リングつめ（９２）は、接線ばね（９１）によって組立てられた時、丸薬容器（２９）の外壁（３３）に対して押圧され、リングつめ（９２）は、垂直通路（３８）のセットに同時に着座する如く均等に離間され、各着座は、丸薬容器（２９）の輸送中、垂直通路におけるリングつめ（９２）の連動により維持される丸薬セル（３１）と周期数のインジケータ（８６）の一意的な位置合わせを提供し、位置合わせは、丸薬容器（２９）の周りに周期数指示リング（２８）を回転させることにより可変であり、回転は、リング壁と外壁の間の介在する空間へつめを外側にたわませ、更に、丸薬容器（２９）と基部の間の組立品にいて周期数インジケータ（８６）を回転可能に保持するための第２手段を有する、丸薬容器（２９）を囲繞するための周期数指示リング（２８）と、
（ｄ）スロット付き拡張部分（９５）を備えたプランジャー基部（９３）と、旋回する自由度の準備のある架台凹部内に着座するような寸法のプランジャー基部（９３）に装着したピボット（９６）と、ピボット（９６）とスロット付き拡張部分（９５）の間のプランジャー基部（９３）に装着した延展する楔（９９）とを有し、スロット付き拡張部分（９５）、延展する楔（９９）及びピボット（９６）は、それぞれ、鋸歯（４８）、平行ビームばね（７３）及び架台凹部（６８）と一致するように直線状に配置されており、延展する楔（９９）が、下方旋回力がプランジャーに加えられ、これにより、往復力に対する潜在力を生成する時、平行なビームばねを広げさせるように作用し、更に、すべり傾斜面セットの第２の半分を形成するスロット付き拡張部分の端部に柔軟に装着したすべりシュー（１０６）を有し、すべりシュー（１０６）が、鋸歯の間の挿入のための傾斜拡張部分（１０８）を有し、これにより、旋回行程の終結において進行する鋸歯の下に部分的な重なりを確立し、傾斜拡張部分（１０８）は、動作する鋸歯の前縁の上の旋回行程を開始させ、傾斜拡張部分（１０８）は、傾斜路面に相補的な勾配を有する下向きすべり面（１０９）を有し、傾斜路面に対して下方に移動するすべり面は、相互に相対して移動する間、接触面を連動させ、こうして、丸薬容器にトルクを伝え、基部とプランジャーに関する丸薬容器の回転移動を生じさせ、傾斜拡張部分（１０８）は、さらに、重なり面に相補的な垂直に対する勾配を有する上向き迂回面（１１０）を有し、すべりシューとスロット付き拡張部分の複合構造は、迂回面が、平行なビームばねの往復力によって駆動された垂直角のすべり相互作用によって重なり面に対して上方に移動する時、内側にたわませられ、これにより、傾斜拡張部分を進行する鋸歯の厚さの上を遷移させ、次の割出しサイクルのための位置を回復し、更に、旋回行程の上方及び下方移動を限定し、これにより、割出し移動の規制を設ける手段と、プランジャーが旋回される時を除いて、丸薬容器の回転を防止する手段と、周期数の動作インジケータに対する基準点を設けるプランジャーにおける指示機構とを有する、プランジャー（３０）と、
（ｅ）基部（２７）、丸薬容器（２９）、周期数指示リング（２８）及びプランジャー（３０）の部分組立品を含むような寸法のカップ付き底部及び頂部要素（１１８）を有するヒンジ付きシェル（２６）であり、部分組立品は、丸薬の摂生を装填された時、補充ユニットを具備し、底部要素（１１７）は、丸薬出口孔（５７）と一致するように位置付けられ、これにより、丸薬のための導管を設ける丸薬放出孔（１２３）を有するヒンジ付きシェル（２６）と、
丸薬放出孔（１２３）と丸薬出口孔（５７）の位置合わせのためにヒンジ付きシェル（２６）に補充ユニットを方向付けるための手段と、
補充ユニットをヒンジ付きシェル（２６）に除去可能に連結する手段（２４）とを具備する
ことを特徴とする自己発動順序指示補充型ディスペンサー。
【００４４】
２．方向付け手段が、補充ユニットを囲繞し、横に包含するように底部に取り付けた円形固定壁を具備し、固定壁は、複数の垂直固定壁スロットを有し、基部は、固定壁スロットと連動するように放射状外側に伸びる同数又はより少数の方向付けタブを有し、方向付けタブと固定壁スロットは、ヒンジ付きシェルへの補充ユニットの組み立てが許容される一意的な定位において整合するように非対称的に配列される上記１に記載のディスペンサー。
【００４５】
３．除去可能な連結手段が、プラグコネクタを収容するために底部要素と基部において整列孔を具備し、プラグコネクタは、底部要素に突き当たるように一方の端部において管状本体と基部フランジを有し、管状本体は、プラグコネクタがねじられた時、平台に重なるように横外側に伸びる他方に端部における一つ以上のキータブを有し、平台は、螺旋傾斜路の上昇端部においてキータブを登録するための下に重なる戻り止めを支持し、キータブは、螺旋傾斜路の方向においてねじり力の印加により、螺旋傾斜路に載るように螺旋傾斜路に隣接して位置する孔におけるキー溝を通過し、管状本体は、キータブが戻り止めにおいて着座した時、補充ユニットとヒンジ付きシェルを整然とロックするために十分な長さを有し、貨幣の挿入のための基部フランジの底部における工具スロット又はプラグコネクタをねじるために他の工具を有する上記２に記載のディスペンサー。
【００４６】
４．補充ユニットが保護ヒンジ付きシェルから分離される時、プラグの旋回移動をロックするための手段をさらに具備する上記３に記載のディスペンサー。
【００４７】
５．旋回移動をロックする手段が、プランジャーが基部に組み立てられた時、戻り止めの一つに近接を与える位置においてプランジャー基部に装着したたわみビームを具備し、近接戻り止めが、傾いたたわみビームの突合せ面を収容し、これにより、控え壁を形成するための水準面を有し、ビームは、補充ユニットがヒンジ付きシェルに装填され、キータブの一つが戻り止めへねじられ、これにより、たわみビームのわきでカム作用をする時、偏向を生じ、こうして偏向されたたわみビームは、その後、平台の上の戻り止めの高度によって設けられた空間へ下方に自由に旋回し、これにより、プランジャーを解放する上記４に記載のディスペンサー。
【００４８】
６．丸薬の周期的摂取のためのディスペンサー（２５）を組立てる方法であり、ディスペンサー（２５）は、基部（２７）と、周囲に配列された複数の丸薬セル（３１）を含む丸薬容器（２９）と、周期数指示リング（２８）と、プランジャー（３０）と、ヒンジ付きシェル（２６）と、プラグコネクタ（２４）とを構成部分として有する方法において、
（ａ）摂生の最初の逐次丸薬で始まる丸薬容器（２９）の丸薬セル（３１）へ時計回りに丸薬を装填し、その後、丸薬容器（２９）に対して時計回りに継続する段階と、
（ｂ）丸薬容器（２９）の周りに周期数指示リング（２８）を配置する段階と、
（ｃ）前段階（ｂ）の部分組立品に基部（２７）を結合する段階と、
（ｄ）転回させた後、段階（ｃ）の部分組立品にプランジャー（３０）を結合する段階と、
（ｅ）ヒンジ付きシェル（２６）への収容のために前段階において組立てられたユニットを位置付ける段階と、
（ｆ）前段階（ｅ）の組立品にプラグコネクタ（２４）を挿入し、組立品をロックするためにプラグコネクタ（２４）をねじる段階とを具備する方法。
【図面の簡単な説明】
【図１】  分配される丸薬を示す開いたディスペンサーの斜視図である。
【図２】  同時発動動作を示す図１のディスペンサーの部分頂面図である。
【図３】  主要構成要素を示す図１のディスペンサーの分解図である。
【図４】  図３において示されたヒンジ付きシェル構成部分の頂面図である。
【図５】  図４の線５−５に沿って取ったヒンジ付きシェルの断面図である。
【図６】  図３において示された基部構成部分の頂面図である。
【図７】  図６の線７−７に沿って取った基部の断面図である。
【図８】  図３において示された周期数指示リングの頂面図である。
【図９】  図８の線９−９に沿って取った断面図である。
【図１０】  図３に示された丸薬容器構成部分の記載された部分断面図を含む頂面図である。
【図１１】  図１０の線１１−１１に沿って取った丸薬容器の断面図である。
【図１２】  図３において示されたプランジャー構成部分の頂面図である。
【図１３】  図１２の線１３−１３に沿って取ったプランジャーの断面図である。
【図１４】  図１２のプランジャーの底面図である。
【図１５】  図３において示されたプラグコネクタ構成部分の頂面図である。
【図１６】  図１５のプラグコネクタの側面図である。
【図１７】  図１５の線１７−１７に沿って取ったプラグコネクタの断面図である。
【図１８】  図１５のプラグコネクタの底面図である。
【図１９】  図１の線１９−１９に沿って取ったディスペンサーの断面図である。
【図２０】  前進機構を詳細に示す、図１９の線２０−２０に沿って取ったディスペンサーの取り壊した断面図である。
【符号の説明】
２４ プラグコネクタ
２５ ディスペンサー
２６ ヒンジ付きシェル
２７ 基部
２８ 周期数表示リング
２９ 丸薬容器
３０ プランジャー
３１ 丸薬セル
３２ 内壁
３３ 外壁
３４ 頂面
３５ 最後の丸薬セル
３６ 丸薬スロット
３７ 傾斜面
３８ 垂直通路
３９ 表縁
４０ 円形孔
４１ 基部フランジ
４２ リム
４４ 基部フランジ底面
４５ つめ車軌道
４６ 軌道傾斜路
４７ 垂直止め具
４８ 鋸歯
４９ ボア
５０ 傾斜路面
５１ 重なり面
５２ 鋸歯突合せ面
５３ 平台
５４ 周壁
５５ スロット
５６ 反時計回り縁
５７ 丸薬出口孔
５８ ばね指
５９ 方向付けタブ
６０ コネクタ収容孔
６１ キー溝
６２ 中心壁
６３ 螺旋状傾斜路
６４ ノッチ
６５ 突合せ縁
６６ 水準面
６７ 架台支柱
６８ 架台凹部
６９ ラッチ
７０ ラッチ腕
７１ ラッチノッチ
７２ 架台保持ラッチすべり面
７３ 平行なビームばね
７４ ばね控え壁
７５ くさび保持ラッチ
７６ くさび保持ラッチ腕
７７ くさび保持ラッチノッチ
７８ くさび保持ラッチすべり面
７９ 据付けフック
８０ 据付けフック腕
８１ 据付フックノッチ
８２ 据付けすべり面
８３ つめ車ばね
８４ つめ車つめ
８５ リング頂面
８６ インジイケータ
８７ 面取り面
８８ ぎざぎざ
８９ リング壁
９０ 区分柵
９１ 接線ばね
９２ 丸つめ
９３ プランジャー基部
９４ 円筒壁
９５ ストッロ付き拡張部分
９６ ピボット
９７ ピボット支持腕
９８ ピボットバー
９９ 楔
１００ 楔止め
１０１ 水平止めバー
１０２ 縦スロット
１０３ プランジヤーロック
１０４ ビーム
１０５ ロック突合せ面
１０６ すべりシュー
１０７ たわみ腕
１０８ 拡張部分
１０９ すべり面
１１０ 迂回面
１１１ 制限バー
１１２ 垂直面
１１３ カバー
１１４ 点突起
１１５ 指針頂面
１１６ 指針底面
１１７ 底部要素
１１８ 頂部要素
１１９ ヒンジ機構
１２０ ラッチ機構
１２１ 床面
１２２ 囲繞壁
１２３ 丸薬放出孔
１２４ 固定壁
１２５ 固定壁スロット
１２６ コネクタ固定孔
１２７ 保持支柱
１２８ 保持支柱端部
１２９ 本体
１３０ 基部フランジ
１３１ スロット
１３２ キータブ
１３３ 装着ロックリング
【図１】
0003996660.tif 000002
【図２】
0003996660.tif 000003
【図３】
0003996660.tif 000004
【図４】
0003996660.tif 000005
【図５】
0003996660.tif 000006
【図６】
0003996660.tif 000007
【図７】
0003996660.tif 000008
【図８】
0003996660.tif 000009
【図９】
0003996660.tif 000010
【図１０】
0003996660.tif 000011
【図１１】
0003996660.tif 000012
【図１２】
0003996660.tif 000013
【図１３】
0003996660.tif 000014
【図１４】
0003996660.tif 000015
【図１５】
0003996660.tif 000016
【図１６】
0003996660.tif 000017
【図１７】
0003996660.tif 000018
【図１８】
0003996660.tif 000019
【図１９】
0003996660.tif 000020
【図２０】
0003996660.tif 000021